(57)【要約】【課題】従量制の通信回線が使用された場合に通話料金を低く抑えることが可能な通信端末、通信方法、及び通信プログラムを提供する。【解決手段】通信端末１〜３は、従量制の通信回線を介して通信を行うことができる。通信端末１は、通信端末３との間の回線を接続し、通信端末３に対して第一データを送信する（４３）。通信端末３は、通信端末１から第一データを受信している最中に、通信端末２から着信通知を受信する（４５）。通信端末３は、通信端末１との回線を維持しつつ、第一データと第二データとの両方を受信した場合、通信端末１の通信料金が増加するか判断する。通信端末１の通信料金が増加しない場合、通信端末３は通信端末２から第二データを受信する（４７）。受信終了後、通信端末１から第一データを受信する（４９）。その後、通信端末１との回線を切断する。【選択図】図４
2011139374.tif 000002
【特許請求の範囲】
【請求項１】
ネットワークを利用し、他の通信端末である第一端末と回線交換方式の通信を行うことで、前記第一端末との間で第一データの通信を行う通信手段と、
前記第一端末とは異なる通信端末である第二端末が自身に対して回線交換方式の通信の開始を要求した場合に通知される通知信号を、前記通信手段において前記第一データの通信を行っている状態で受信する通知受信手段と、
前記通知受信手段において前記通知信号を受信した場合に、前記通信手段による前記第一データの通信を中断する中断手段と、
前記ネットワークの利用時に、従量制により課金される通信料金が格納された課金テーブルと、前記第一データの通信を行うために必要な通信時間である第一時間と、前記第二端末から送信される第二データを受信するために必要な通信時間である第二時間とに基づき、前記第一時間と前記第二時間とを加算した時間分前記ネットワークを利用した場合、前記第一時間分前記ネットワークを利用した場合と比較して前記通信料金が増加するか判断する判断手段と、
前記判断手段において、前記通信料金が増加しないと判断された場合に、前記ネットワークを利用して前記第二端末と回線交換方式の通信を行うことで、前記第二端末から前記第二データを受信する第一受信手段と、
前記第一受信手段による前記第二データの受信が終了した後、前記中断処理において中断させた前記第一データの通信を再開させる第一再開手段と
を備えたことを特徴とする通信端末。
【請求項２】
前記判断手段において、前記通信料金が増加すると判断された場合に、前記中断手段において中断させた前記第一データの通信を再開させる第二再開手段と、
前記第二再開手段によって前記第一データの通信が再開され、前記第一データの通信が終了した後、前記ネットワークを利用して前記第二端末と回線交換方式の通信を行うことで、前記第二端末から前記第二データを受信する第二受信手段と
を備えたことを特徴とする請求項１に記載の通信端末。
【請求項３】
前記通知受信手段において前記通知信号を受信した場合に、前記第二端末との回線を接続する回線接続手段と、
前記判断手段において、前記通信料金が増加すると判断された場合に、前記回線接続手段において接続された回線を切断する回線切断手段と
をさらに備え、
前記第二受信手段は、
前記第二端末と新たに回線を接続し、前記第二端末から前記第二データを受信することを特徴とする請求項２に記載の通信端末。
【請求項４】
前記第一時間分前記ネットワークを利用する場合の前記通信料金で利用可能な利用時間から前記第一時間を減算した第三時間と、前記第二時間分前記ネットワークを利用した場合の前記通信料金よりも低い前記通信料金で利用可能な前記利用時間を前記第二時間から減算した第四時間とを、前記課金テーブルに基づいて特定する時間特定手段と、
前記時間特定手段によって特定された前記第三時間が前記第四時間以上である場合に、前記ネットワークを利用して前記第二端末と回線交換方式の通信を行うことで、前記第二端末から前記第二データを前記第三時間分受信する第三受信手段と
を備え、
前記第二再開手段は、
前記判断手段において、前記通信料金が増加すると判断された場合であって、前記第三受信手段による前記第二データの受信が終了した後、前記第一端末との通信を再開させ、
前記第二受信手段は、
前記第二再開手段によって前記第一データの通信が再開され、前記第一データの受信が終了した後、前記第三受信手段により受信されなかった残りの前記第二データを前記第二端末から受信することを特徴とする請求項２又は３に記載の通信端末。
【請求項５】
前記課金テーブルには、前記通信料金が通信距離毎に格納されており、
前記第一端末との間の通信距離を特定する距離特定手段をさらに備え、
前記判断手段は、
前記課金テーブルのうち、前記距離特定手段によって特定された前記通信距離に対応する前記通信料金に基づいて、前記通信料金が増加するかを判断することを特徴とする請求項１から４のいずれかに記載の通信端末。
【請求項６】
前記課金テーブルには、前記通信料金が通信距離毎に格納されており、
前記第一端末及び前記第二端末との間の通信距離を特定する距離特定手段をさらに備え、
前記時間特定手段は、
前記課金テーブルのうち、前記距離特定手段によって特定された前記通信距離に対応する前記通信料金に基づいて、前記第三時間及び前記第四時間を特定することを特徴とする請求項４に記載の通信端末。
【請求項７】
前記通信端末の市外局番を特定する番号特定手段を備え、
前記距離特定手段は、
前記番号特定手段において特定された前記市外局番に対応する前記通信距離を特定することを特徴とする請求項５又は６に記載の通信端末。
【請求項８】
前記課金テーブルには、前記ネットワークの利用時刻毎に前記通信料金が格納されており、
前記判断手段は、
前記課金テーブルのうち、現在時刻に対応する前記通信料金に基づいて、前記通信料金が増加するかを判断することを特徴とする請求項１から４のいずれかに記載の通信端末。
【請求項９】
前記課金テーブルには、前記ネットワークの利用時刻毎に前記通信料金が格納されており、
前記時間特定手段は、
前記課金テーブルのうち、現在時刻に対応する前記通信料金に基づいて、前記第三時間及び前記第四時間を特定することを特徴とする請求項４に記載の通信端末。
【請求項１０】
前記通知受信手段は、
前記第二データのデータ量を前記通知信号とともに受信し、
前記第二端末との通信時における通信速度を取得する速度取得手段と、
前記通知受信手段によって受信した前記データ量と、前記速度取得手段によって取得した前記通信速度とから前記第二時間を算出する算出手段と
をさらに備え、
前記判断手段は、
前記算出手段によって算出された前記第二時間に基づき、前記通信料金が増加するかを判断することを特徴とする請求項１から９のいずれかに記載の通信端末。
【請求項１１】
前記第二受信手段は、ポーリング通信によって前記第二端末から前記第二データを受信することを特徴とする請求項２から４のいずれかに記載の通信端末。
【請求項１２】
ネットワークを利用し、他の通信端末である第一端末と回線交換方式の通信を行うことで、前記第一端末との間で第一データの通信を行う通信ステップと、
前記第一端末とは異なる通信端末である第二端末が自身に対して回線交換方式の通信の開始を要求した場合に通知される通知信号を、前記通信ステップにおいて前記第一データの通信を行っている状態で受信する通知受信ステップと、
前記通知受信ステップにおいて前記通知信号を受信した場合に、前記通信ステップによる前記第一データの通信を中断する中断ステップと、
前記ネットワークの利用時に、従量制により課金される通信料金が格納された課金テーブルと、前記第一データの通信を行うために必要な通信時間である第一時間と、前記第二端末がら送信される第二データを受信するために必要な通信時間である第二時間とに基づき、前記第一時間と前記第二時間とを加算した時間分前記ネットワークを利用した場合、前記第一時間分前記ネットワークを利用した場合と比較して前記通信料金が増加するか判断する判断ステップと、
前記判断ステップにおいて、前記通信料金が増加しないと判断された場合に、前記ネットワークを利用して前記第二端末と回線交換方式の通信を行うことで、前記第二端末から前記第二データを受信する第一受信ステップと、
前記第一受信ステップによる前記第二データの受信が終了した後、前記中断処理において中断させた前記第一データの通信を再開させる第一再開ステップと
を備えたことを特徴とする通信方法。
【請求項１３】
請求項１から１１のいずれかに記載の通信端末の各処理手段としてコンピュータを機能させるための通信プログラム。
【発明の詳細な説明】
【技術分野】
【０００１】
本発明は、通信端末、通信方法、及び通信プログラムに関する。より詳細には、回線交換方式の通信を行う通信端末、通信方法、及び通信プログラムに関する。
【背景技術】
【０００２】
従来、通信端末において、他の通信端末（「通信端末Ａ」という。）との間で回線交換方式による通信が行われている状態で、通信端末Ａとは異なる他の通信端末（「通信端末Ｂ」という。）から回線交換方式の通信開始要求があった場合に、通信端末Ｂとの通信に対処するための通信方法が提案されている。
【０００３】
例えば特許文献１では、他のファクシミリ装置（「ＦＡＸ装置Ａ」という。）との間でＦＡＸデータの通信を行っている状態で、ＦＡＸ装置Ａとは異なる別のファクシミリ装置（「ＦＡＸ装置Ｂ」という。）からＦＡＸデータ通信の開始要求を受信した場合の通信方法が提案されている。該通信方法では、ファクシミリ装置毎に優先度が定められる。ＦＡＸ装置Ｂの優先度の方がＦＡＸ装置Ａの優先度よりも高い場合、ＦＡＸ装置ＡとのＦＡＸデータの通信は中断され、ＦＡＸ装置ＢとのＦＡＸデータの通信が開始される。ＦＡＸ装置Ｂとの通信が終了した後、ＦＡＸ装置Ａとの通信が再開される。優先度は、ＦＡＸデータの原稿枚数から特定される通信時間と、通信距離から特定される通信料金とに応じて定められる。これによって、一方のＦＡＸ装置の通信時間が極端に長くなってしまって通信料金が大幅に高くなることを防止している。
【先行技術文献】
【特許文献】
【０００４】
【特許文献１】特開平９−２８４４２３号公報
【発明の概要】
【発明が解決しようとする課題】
【０００５】
電話回線の料金体系が、利用時間に応じて課金される従量制である場合、利用時間を超えて通信が行われると、余分に通信料金が発生する。ここで上述の装置及び方法では、従量制が考慮されていないので、ＦＡＸデータの原稿枚数等から特定された通信時間が利用時間を超えてしまうと、通信料金が高くなってしまうという問題点がある。
【０００６】
本発明の目的は、従量制の通信回線が使用された場合に通話料金を低く抑えることが可能な通信端末、通信方法、及び通信プログラムを提供することにある。
【課題を解決するための手段】
【０００７】
本発明の第一態様に係る通信端末は、ネットワークを利用し、他の通信端末である第一端末と回線交換方式の通信を行うことで、前記第一端末との間で第一データの通信を行う通信手段と、前記第一端末とは異なる通信端末である第二端末が自身に対して回線交換方式の通信の開始を要求した場合に通知される通知信号を、前記通信手段において前記第一データの通信を行っている状態で受信する通知受信手段と、前記通知受信手段において前記通知信号を受信した場合に、前記通信手段による前記第一データの通信を中断する中断手段と、前記ネットワークの利用時に、従量制により課金される通信料金が格納された課金テーブルと、前記第一データの通信を行うために必要な通信時間である第一時間と、前記第二端末から送信される第二データを受信するために必要な通信時間である第二時間とに基づき、前記第一時間と前記第二時間とを加算した時間分前記ネットワークを利用した場合、前記第一時間分前記ネットワークを利用した場合と比較して前記通信料金が増加するか判断する判断手段と、前記判断手段において、前記通信料金が増加しないと判断された場合に、前記ネットワークを利用して前記第二端末と回線交換方式の通信を行うことで、前記第二端末から前記第二データを受信する第一受信手段と、前記第一受信手段による前記第二データの受信が終了した後、前記中断処理において中断させた前記第一データの通信を再開させる第一再開手段とを備えている。
【０００８】
第一態様によれば、第一端末との間で第一データの通信を行う場合の通信料金を増加させることなく、第一端末との間で第一データの通信を行い、且つ第二端末から第二データを受信できる。従量制のネットワーク（電話回線など）を使用する通信端末の通信料金を低く抑えつつ、複数の通信端末と回線交換方式の通信を行うことができる。通信端末は、第一端末と回線通信方式による通信を行っている場合にも、第二端末からの通知信号を受信して第二端末と回線通信方式による通信を行うことができる。通信端末は、第二端末からの通知に即座に応じ、第二端末から第二データを受信できるので、通信端末は、遅滞なく第二端末から第二データを受信できる。
【０００９】
また第一態様において、前記判断手段において、前記通信料金が増加すると判断された場合に、前記中断手段において中断させた前記第一データの通信を再開させる第二再開手段と、前記第二再開手段によって前記第一データの通信が再開され、前記第一データの通信が終了した後、前記ネットワークを利用して前記第二端末と回線交換方式の通信を行うことで、前記第二端末から前記第二データを受信する第二受信手段とを備えていてもよい。これによって、第一端末との間で第一データの通信を行う場合の通信料金を増加させることなく、通信端末は第一端末との間で第一データの通信を行うことができる。第一データの通信中には第二データを受信しないので、通信端末は第一データの通信を迅速に実行できる。通信端末は、第一データの通信後、通知のあった第二端末から第二データを受信できる。
【００１０】
また、第一態様において、前記通知受信手段において前記通知信号を受信した場合に、前記第二端末との回線を接続する回線接続手段と、前記判断手段において、前記通信料金が増加すると判断された場合に、前記回線接続手段において接続された回線を切断する回線切断手段とをさらに備え、前記第二受信手段は、前記第二端末と新たに回線を接続し、前記第二端末から前記第二データを受信してもよい。これによって通信端末は、第二端末との間で接続した回線を一旦切断し、再度回線を接続して第二データを受信できる。第一データの通信中には第二端末との回線は切断される。従って、第二端末に余分な通信料金が発生することを防止できる。
【００１１】
また、第一態様において、前記第一時間分前記ネットワークを利用する場合の前記通信料金で利用可能な利用時間から前記第一時間を減算した第三時間と、前記第二時間分前記ネットワークを利用した場合の前記通信料金よりも低い前記通信料金で利用可能な前記利用時間を前記第二時間から減算した第四時間とを、前記課金テーブルに基づいて特定する時間特定手段と、前記時間特定手段によって特定された前記第三時間が前記第四時間以上である場合に、前記ネットワークを利用して前記第二端末と回線交換方式の通信を行うことで、前記第二端末から前記第二データを前記第三時間分受信する第三受信手段とを備え、前記第二再開手段は、前記判断手段において、前記通信料金が増加すると判断された場合であって、前記第三受信手段による前記第二データの受信が終了した後、前記第一端末との通信を再開させ、前記第二受信手段は、前記第二再開手段によって前記第一データの通信が再開され、前記第一データの受信が終了した後、前記第三受信手段により受信されなかった残りの前記第二データを前記第二端末から受信してもよい。これによって通信端末は、第一データの通信時の通信料金を増加させることなく、第二端末から第二データの一部を受信することができる。これによって通信端末は、残りの第二データを第二端末から受信する場合に必要となる通信料金を抑制できる。
【００１２】
また、第一態様において、前記課金テーブルには、前記通信料金が通信距離毎に格納されており、前記第一端末との間の通信距離を特定する距離特定手段をさらに備え、前記判断手段は、前記課金テーブルのうち、前記距離特定手段によって特定された前記通信距離に対応する前記通信料金に基づいて、前記通信料金が増加するかを判断してもよい。これによって通信端末は、通信距離毎に通信料金が異なる場合でも、通信距離毎に通信料金を特定できる。通信端末は、通信距離に応じた通信料金の増加を正確に判断できる。
【００１３】
また、第一態様において、前記課金テーブルには、前記通信料金が通信距離毎に格納されており、前記第一端末及び前記第二端末との間の通信距離を特定する距離特定手段をさらに備え、前記時間特定手段は、前記課金テーブルのうち、前記距離特定手段によって特定された前記通信距離に対応する前記通信料金に基づいて、前記第三時間及び前記第四時間を特定してもよい。これによって通信端末は、通信距離毎に通信料金が異なる場合でも、通信距離毎に通信料金を特定できる。通信端末は、通信距離に応じた第三時間及び第四時間を正確に特定できる。
【００１４】
また、第一態様において、前記通信端末の市外局番を特定する番号特定手段を備え、前記距離特定手段は、前記番号特定手段において特定された前記市外局番に対応する前記通信距離を特定してもよい。これによって通信端末は、通信端末の市外局番から、自身と通信端末との通信距離を容易に特定できる。通信端末は、通信距離を計測するための装置やデータベース等を用いることなく、通信距離に応じた通信料金を容易に特定できる。
【００１５】
また、第一態様において、前記課金テーブルには、前記ネットワークの利用時刻毎に前記通信料金が格納されており、前記判断手段は、前記課金テーブルのうち、現在時刻に対応する前記通信料金に基づいて、前記通信料金が増加するかを判断してもよい。これによって通信端末は、ネットワークの利用時刻毎に通信料金が異なる場合でも、現在時刻に対応する通信料金を特定できる。通信端末は、現在時刻に応じた通信料金の増加を正確に判断できる。
【００１６】
また、第一態様において、前記課金テーブルには、前記ネットワークの利用時刻毎に前記通信料金が格納されており、前記時間特定手段は、前記課金テーブルのうち、現在時刻に対応する前記通信料金に基づいて、前記第三時間及び前記第四時間を特定してもよい。これによって通信端末は、ネットワークの利用時刻毎に通信料金が異なる場合でも、現在時刻に対応する通信料金を特定できる。通信端末は、現在時刻に応じた第三時間及び第四時間を正確に特定できる。
【００１７】
また、第一態様において、前記通知受信手段は、前記第二データのデータ量を前記通知信号とともに受信し、前記第二端末との通信時における通信速度を取得する速度取得手段と、前記通知受信手段によって受信した前記データ量と、前記速度取得手段によって取得した前記通信速度とから前記第二時間を算出する算出手段とをさらに備え、前記判断手段は、前記算出手段によって算出された前記第二時間に基づき、前記通信料金が増加するかを判断してもよい。これによって通信端末は、第二データのデータ量と通信速度とから第二時間を容易に算出できる。通信端末は、第二端末から第二データを受信する場合に必要な第二時間を正確に認識することができる。
【００１８】
また、第一態様において、前記第二受信手段は、ポーリング通信によって前記第二端末から前記第二データを受信してもよい。これによって通信端末は、第二端末から第二データを受信する場合の通信料金を自身に発生させることができる。通信端末は、第二データを送信する場合に第二端末に発生する通信料金を抑制させることができる。通信端末は、第一端末との通信が終了して第二端末との通信が可能となったタイミングで、第二端末から第二データを受信できる。
【００１９】
本発明の第二態様に係る通信方法は、ネットワークを利用し、他の通信端末である第一端末と回線交換方式の通信を行うことで、前記第一端末との間で第一データの通信を行う通信ステップと、前記第一端末とは異なる通信端末である第二端末が自身に対して回線交換方式の通信の開始を要求した場合に通知される通知信号を、前記通信ステップにおいて前記第一データの通信を行っている状態で受信する通知受信ステップと、前記通知受信ステップにおいて前記通知信号を受信した場合に、前記通信ステップによる前記第一データの通信を中断する中断ステップと、前記ネットワークの利用時に、従量制により課金される通信料金が格納された課金テーブルと、前記第一データの通信を行うために必要な通信時間である第一時間と、前記第二端末から送信される第二データを受信するために必要な通信時間である第二時間とに基づき、前記第一時間と前記第二時間とを加算した時間分前記ネットワークを利用した場合、前記第一時間分前記ネットワークを利用した場合と比較して前記通信料金が増加するか判断する判断ステップと、前記判断ステップにおいて、前記通信料金が増加しないと判断された場合に、前記ネットワークを利用して前記第二端末と回線交換方式の通信を行うことで、前記第二端末から前記第二データを受信する第一受信ステップと、前記第一受信ステップによる前記第二データの受信が終了した後、前記中断処理において中断させた前記第一データの通信を再開させる第一再開ステップとを備えている。
【００２０】
第二態様によれば、第一端末との間で第一データの通信を行う場合の通信料金を増加させることなく、第一端末との間で第一データの通信を行い、且つ第二端末から第二データを受信できる。従量制のネットワーク（電話回線など）を使用する通信端末の通信料金を低く抑えつつ、複数の通信端末と回線交換方式の通信を行うことができる。通信端末は、第一端末と回線通信方式による通信を行っている場合にも、第二端末からの通知信号を受信して第二端末と回線通信方式による通信を行うことができる。通信端末は、第二端末からの通知に即座に応じ、第二端末から第二データを受信できるので、通信端末は、遅滞なく第二端末から第二データを受信できる。
【００２１】
本発明の第三態様に係る通信プログラムは、請求項１から１１のいずれかに記載の通信端末の各処理手段としてコンピュータを機能させる。
【図面の簡単な説明】
【００２２】
【図１】通信システム４の概要を示す模式図である。
【図２】通信端末３の電気的構成を示すブロック図である。
【図３】課金テーブル３２を示す模式図である。
【図４】通信シーケンスを示す図である。
【図５】通信シーケンスを示す図である。
【図６】通信シーケンスを示す図である。
【図７】メイン処理を示すフローチャートである。
【図８】メイン処理を示すフローチャートである。
【図９】通話処理を示すフローチャートである。
【図１０】データ通信処理を示すフローチャートである。
【発明を実施するための形態】
【００２３】
以下、本発明に係る通信端末について、図面を参照して説明する。図面は、本発明が採用し得る技術的特徴を説明する為に用いる。図面に記載している装置の構成、各種処理のフローチャート等は、単なる説明例であり、本発明を限定するものではない。
【００２４】
図１を参照し、通信端末３を含む通信システム４の概要について説明する。通信システム４は、通信端末１，２，３を少なくとも備えている。通信端末１〜３は、通信網５に接続している。通信端末1〜３は、通信網５を介して回線交換方式の通信を行うことができる。通信端末１，２，３は、通話機能及びファックス機能を有している。通信端末３は、通話機能によって他の通信端末１，２と通話を行うことができる。通信端末３は、ファックス機能によって、他の通信端末１，２とファックスデータの送受信を行うことができる。通信端末1〜３としては、例えば従来周知のファクシミリ装置が使用できる。通信システム４は、交換機６を備えていてもよい。交換機６は、通信端末１〜３間の回線接続を制御することができる。
【００２５】
通信端末１〜３が通信網５を使用して通信を行った場合の通信料金は、利用時間に応じて課金される。通信料金は、所謂従量制に基づいて特定される。通信網５としては、例えば電話回線網が使用される。通信網５では、コールウェイティング機能が利用可能である。
【００２６】
図１では、通信端末１と通信端末３との間で回線が接続され、通信端末１から通信端末３に対してファックスデータ（以下「第一データ」という。）が送信されている。この状態で、通信端末２が通信端末３に対してファックスデータ（以下「第二データ」という。）を送信するために、通信端末２から通信端末３に対して回線接続の要求がされたとする。通信網５ではコールウェイティング機能が利用可能であるため、通信端末２から接続要求があったことを示す通知が、交換機６から通信端末３に対して送信される。
【００２７】
本実施の形態では、通知を受けた通信端末３は、通信端末１との回線接続状態を維持しつつ、通信端末１から第一データを受信し且つ通信端末２から第二データを受信できるか判断する。通信端末３は、通信端末１との回線接続状態を維持した状態で第一データ及び第二データとの両方を受信しても、通信端末１に発生する通信料金が増加しない場合に、第一データと第二データとを受信する。これによって、通信端末１に発生する通信料金の増加を抑制し、且つ通信端末２との通信を遅滞させることなく、通信端末１と通信端末２とからファックスデータ（第一データ、第二データ）を受信できる。
【００２８】
図２を参照し、通信端末３の電気的構成について説明する。通信端末１〜３の電気的構成は同一である。通信端末３は、ＣＰＵ２１、ＲＯＭ２２、ＲＡＭ２３、フラッシュメモリ２４を備えている。ＣＰＵ２１は、他の通信端末との通信を制御する。ＲＯＭ２２には、Ｂｏｏｔプログラムや初期パラメータが少なくとも記憶される。ＲＡＭ２３には、ＣＰＵ２１の処理時に発生する一時的なデータが少なくとも記憶される。フラッシュメモリ２４は、ＣＰＵ２１のプログラム、通信時のファックスデータ、及び後述する課金テーブルが少なくとも記憶される。ＣＰＵ２１は、ＲＯＭ２２、ＲＡＭ２３、及びフラッシュメモリ２４と電気的に接続している。ＣＰＵ２１は、ＲＯＭ２２、ＲＡＭ２３、及びフラッシュメモリ２４の記憶領域にアクセスできる。
【００２９】
通信端末３は、通信モジュール２５を備えている。通信モジュール２５は、通信網５を介した通信を可能とする。ＣＰＵ２１は、通信モジュール２５と電気的に接続している。ＣＰＵ２１は、通信網５を介して通信を行うことができる。
【００３０】
通信端末３は、画像形成部２６及びスキャナ部２７を備えている。ＣＰＵ２１は、画像形成部２６及びスキャナ部２７と電気的に接続している。画像形成部２６は、通信網５を介して受信したファックスデータに基づいて、像を紙上に形成できる。スキャナ部２７は、像を取り込むことができる。スキャナ部２７を介して取り込まれた像は、ファックスデータに変換される。ファックスデータは、通信網５を介して他の通信端末に対して送信される。
【００３１】
通信端末３は、ディスプレイ２８を備えている。ＣＰＵ２１は、ディスプレイ２８と電気的に接続している。ＣＰＵ２１は、ディスプレイ２８に所望の像を表示させることができる。通信端末３は、キーボード２９を備えている。ＣＰＵ２１は、キーボード２９と電気的に接続している。ＣＰＵ２１は、キーボード２９を介して入力された情報を認識できる。
【００３２】
通信端末３は、スピーカ３０及びマイク３１を備えている。ＣＰＵ２１は、スピーカ３０及びマイク３１と電気的に接続している。ＣＰＵ２１は、スピーカ３０から所望の音声を出力できる。ＣＰＵ２１は、マイク３１において収録された音声を取得できる。スピーカ３０及びマイク３１は、通話時に使用される。
【００３３】
図３を参照し、フラッシュメモリ２４に記憶される課金テーブルの一例である課金テーブル３２について説明する。課金テーブルには、通信網５の利用時間帯（昼間、夜間、深夜及び早朝）に対応する通信時間が、通信距離（区域内、隣接〜２０ｋｍ、２０ｋｍ〜６０ｋｍ、６０ｋｍ〜）毎に記憶されている。「区域内」は、市内通信料金で通信できる所定の区域内を示す。通信時間は、１０．５円で通信可能な時間を示す。例えば通信距離が「隣接〜２０ｋｍ」の範囲内であって、利用時間が「昼間」である場合、１０．５円で９０秒間通信網５を使用できる。通信料金は、９０秒毎に１０．５円ずつ加算されることになる。例えば１〜９０秒間通信網５を使用した場合には、通信料金は１０．５円となる。９１〜１８０秒間通信網５を使用した場合には、通信料金は２１（＝１０．５×２）円となる。
【００３４】
なお通信端末３は、通信料金体系が変更された場合、通信料金を管理する管理サーバと通信を行うことで、課金テーブル３２を自動更新できるようにしてもよい。また、ユーザが直接通信端末のキーボード２９を介して通信料金を入力することで、課金テーブル３２が更新されても良い。
【００３５】
図４〜図６を参照し、通信端末１〜３において実行される通信のシーケンスについて説明する。図４〜図６では、通信端末１と通信端末３との回線が接続し、通信端末１から通信端末３に対して第一データが送信されている。この状態で、通信端末２が通信端末３に対して第二データを送信するために、通信端末２が通信端末３に対して回線接続を要求している。
【００３６】
図４を参照し、通信シーケンスの第一例について説明する。通信端末１は、通信端末３に対して第一データを送信するために、通信端末３との間の回線を接続する（４１）。以下、通信端末１と接続した状態の回線を、「回線１」という。通信端末１は通信端末３に対して第一データの送信を開始する（４３）。通信端末３は、第一データを受信する。
【００３７】
通信端末２は、通信端末３に対して第二データを送信するために、交換機６に対して、通信端末３との回線接続を要求する。交換機６は、コールウェイティング機能に基づき、着信があったことを通知する信号（着信通知信号）を通信端末３に対して送信する（４５）。通信端末３は、着信通知信号を受信する。通信端末３では、通信端末１による第一データの送信を中断させる。通信端末３において回線１が瞬断（フッキング）される。通信端末２と通信端末３との間の回線が接続される。以下、通信端末２と接続した状態の回線を、「回線２」という。通信可能な回線が、回線１から回線２に切り替えられる。なお、通信端末１との回線接続状態は維持される。通信端末３は、通信端末１との回線接続状態を維持しつつ、第一データと第二データとの両方を受信できるか判断する。判断は、以下の手順で実行される。
【００３８】
通信端末３では、通信端末１から第一データをすべて受信するために必要な時間（以下「第一時間」という。）が算出される。第一時間は、第一データのデータサイズを、第一データの通信時における通信速度で除算することで特定される。第一時間は、図４における「ｔ２＋ｔ３」に相当する。通信網５を第一時間分利用した場合に発生する通信料金が、課金テーブルに基づいて特定される（特定された料金を「第一料金」という。）。通信端末３では、通信端末２から第二データをすべて受信するために必要な時間（以下「第二時間」という。）が算出される。第二時間は、第二データのデータサイズを、第二データの通信時における通信速度で除算することで特定される。第二時間は、図４における「ｔ４」に相当する。通信網５を、第一時間と第二時間とを加算した時間（以下「加算時間」という。図４における「ｔ１」に相当。）分利用した場合に発生する通信料金が、課金テーブルに基づいて特定される（特定された料金を「第二料金」という。）第一料金と第二料金とが比較される。第一料金と第二料金とが同一である場合、通信端末３において第一データと第二データとの両方を受信できると判断される。第一料金と比較して第二料金が大きい場合、第一データと第二データとの両方を受信できないと判断される。
【００３９】
例えば、課金テーブル３２のうち「通話時間帯：昼間、通信距離：隣接〜２０ｋｍ」が適用される場合であって、第一時間が５０秒であり、第二時間が３５秒である場合、加算時間は８５秒となる。第一料金は、１０．５円（５０秒）となり、第二料金は１０．５円（８５秒）となる。この場合、第一料金と第二料金とが同一であるので、第一データと第二データとの両方を受信できると判断される。一方、例えば第一時間が５０秒であり、第二時間が４５秒である場合、加算時間は９５秒となる。第一料金は１０．５円（５０秒）となり、第二料金は２１（＝１０．５×２）円（９５秒）となる。第二料金は第一料金よりも大きいので、第一データと第二データとの両方を受信できないと判断される。
【００４０】
通信端末３において、第一データと第二データとの両方を受信できると判断された場合、通信端末３では、通信端末２から送信される第二データが受信される（４７）。通信端末３が、通信端末２から第二データをすべて受信し終えた後、回線２は切断される。回線２が瞬断（フッキング）される。通信可能な回線が、回線２から回線１に切り替えられる。
【００４１】
通信端末３は、中断していた通信端末１による第一データの送信を再開させる。通信端末１は第一データの送信を再開する（４９）。通信端末３は、第一データを受信する。通信端末３が、通信端末１から第一データをすべて受信し終えた後、回線１は切断される。通信端末１による通信網５の利用によって通信端末１に発生する通信料金（矢印４８の利用時間に対して課金される通信料金）は、第一データのみを通信端末３に対して送信する場合と変わらない。このように通信端末３は、従量制の通信網５を利用した場合に通信端末１に課せられる通信料金を増加させることなく、第一データと第二データとを受信できる。また通信端末３は、遅滞なく通信端末２から第二データを受信でき、通信端末２を待機させる必要がない。
【００４２】
図５を参照し、通信シーケンスの第二例について説明する。第二例では、第一例において通信端末３が第一データと第二データとの両方を受信できないと判断された場合の通信シーケンスを示している。通信端末１は、通信端末３に対して第一データを送信するために、通信端末３との間の回線を接続する（５１）。通信端末１は通信端末３に対して第一データの送信を開始する（５３）。通信端末３は、第一データを受信する。交換機６を介して通信端末３に対して、着信通知信号が送信される（５５）。通信端末３は、着信通知信号を受信する。通信端末３では、通信端末１による第一データの送信を中断させる。通信端末３において回線１が瞬断（フッキング）される。回線２が接続される。通信可能な回線が、回線１から回線２に切り替えられる。第一データと第二データとの両方を受信できないと判断される。この場合、通信端末３では、通信端末１との回線接続状態を維持しつつ、第一データと第二データの一部とを受信できるか判断される。判断は、以下の手順で実行される。
【００４３】
通信端末３は、通信網５を第一時間（「ｔ６＋ｔ７」に相当する。）分利用した場合の通信料金で、最大通信可能な通信時間（「ｔ５」とする）を特定する。通信端末３は、特定した時間（ｔ５）から第一時間（ｔ６＋ｔ７）を減算した時間（以下「第三時間」という。「ｔ８」に相当する。）を特定する。例えば、課金テーブル３２のうち「通話時間帯：昼間、通信距離：隣接〜２０ｋｍ」が適用される場合であって、第一時間が６０秒である場合、通信料金は１０．５円が適用され、最大可能な通信時間は９０秒となる。従って算出される第三時間は「９０−６０＝３０（秒）」となる。
【００４４】
通信端末３は、通信網５を第二時間（「ｔ８＋ｔ９」に相当する。）分利用した場合の通信料金よりも低い通信料金で利用可能な利用時間を特定する。例えば、課金テーブル３２のうち「通話時間帯：昼間、通信距離：隣接〜２０ｋｍ」が適用される場合であって、第二時間が１１０秒である場合、通信料金は２１円（１８０秒）が適用される。従ってこの通信料金よりも低い通信料金（１０．５円）で利用可能な利用時間「９０秒」が特定される。次いで通信端末３は、特定された通信時間を第二時間から減算した時間（以下「第四時間」という。）を特定する。上述の例では２０（＝１１０−９０）秒が特定される。上述のようにして特定された第三時間と第四時間とが比較される。第三時間が第四時間以上である場合、第一データと第二データの一部との両方を受信できると判断される。第三時間が第四時間未満である場合、第一データと第二データの一部との両方を受信できないと判断される。
【００４５】
通信端末３において、第一データと第二データの一部との両方を受信できると判断された場合、通信端末３は、通信端末２から送信される第二データを、算出された第三時間（ｔ８）分受信する（５７）。通信端末３は、通信端末２から第二データを第三時間（ｔ８）分受信し終えた後、回線２を切断する。回線２が瞬断（フッキング）される。通信可能な回線が、回線２から回線１に切り替えられる。
【００４６】
通信端末３は、中断していた通信端末１による第一データの送信を再開させる。通信端末１は、第一データの送信を再開する（５９）。通信端末３は、第一データを受信する。通信端末３が、通信端末１から第一データをすべて受信し終えた後、回線１は切断される。通信端末１による通信網５の利用によって通信端末１に発生する通信料金（矢印６２の利用時間に対して課金される通信料金）は、第一データのみを通信端末３に対して送信する場合と変わらない。
【００４７】
通信端末３は、通信端末２と通信を行うために、回線２を接続する（６０）。通信端末３は、通信端末２に対してポーリング通信を行うことで、通信端末２から受信していない残りの第二データを受信する（６１）。通信端末３が、通信端末２から第二データをすべて受信し終えた後、回線２は切断される。このように通信端末３は、通信端末１が第一データを送信することにより発生する通信料金を増加させることなく、通信端末２から第二データの一部を受信することができる。通信端末２が通信端末１に対して第二データを送信する時間が短縮されるので、通信端末３は、ポーリング通信によって通信端末２から残りの第二データを受信する場合の通信料金を低く抑えることができる。
【００４８】
なお上述では、通信網５を第二時間（１１０秒）分利用した場合の通信料金（２１円）よりも低い通信料金（１０．５円）で利用可能な利用時間として、９０秒を特定する例を挙げて説明した。ここで例えば、第二時間が１８１秒以上である場合、通信料金は「３１．５円」となるので、この通信料金よりも低い料金としては「２１円」「１０．５円」のいずれも取りうる。従って利用可能な利用時間として「１８０秒」「９０秒」のいずれも設定可能である。
【００４９】
図６を参照し、通信シーケンスの第三例について説明する。第三例では、第二例において通信端末３が第一データと第二データの一部との両方を受信できないと判断された場合の通信シーケンスを示している。通信端末３は、回線１が接続された状態で（７１）、通信端末１から送信された第一データを受信している（７３）。通信端末３は、着信通知信号を受信する（７５）。通信端末１による第一データの送信は中断される。通信端末２と通信端末３との回線が接続される。通信端末３において、通信可能な回線が回線１から回線２に切り替えられる。
【００５０】
通信端末３において、第一データと第二データの一部との両方を受信できないと判断される。この場合通信端末３は、回線２を切断する。通信可能な回線が、回線２から回線１に切り替えられる。通信端末３は、通信端末１からの第一データの送信を再開させる。通信端末１から送信される第一データを受信する（７３）。通信端末３が、通信端末１から第一データをすべて受信し終えた後、通信端末１との間の回線は切断される。
【００５１】
通信端末３は、通信端末２と通信を行うために、回線２を接続する（７６）。通信端末３は、通信端末２に対してポーリング通信を行うことで、通信端末２から第二データを受信する（７７）。通信端末が、通信端末２から第二データをすべて受信し終えた後、回線２は切断される。このように通信端末３では、通信端末１が第一データを送信する場合の通信料金を増加させることなく、通信端末１から第一データを受信できる。第一データの受信中には第二データを受信しない。これによって通信端末３は、第一データを迅速に受信できる。通信端末３は、第一データの受信後、通知のあった通信端末２から第二データを受信できる。
【００５２】
図７〜図１０を参照し、通信端末３のＣＰＵ２１において実行されるメイン処理について説明する。通信端末３は、他の通信端末（通信端末１）からファックスデータ（第一データ）を受信する場合に、回線１が接続される。メイン処理は、回線１が接続された場合に、ＣＰＵ２１によって起動され実行される。
【００５３】
図７に示すように、回線１が接続してメイン処理が起動されると、通信端末１から第一データが送信される前に、通信端末１の電話番号が取得される（Ｓ１１）。第一データのデータサイズが通信端末１から取得される（Ｓ１３）。データサイズは、例えば第一データの送信に先立って通信端末１から通信端末３に対して送信される。次いで、通信端末１から第一データを受信する場合の通信速度が決定される（Ｓ１５）。通信速度は、例えば利用可能な通信網５の帯域に基づき、通信端末１と通信端末３とがネゴシエーション通信（通信前にあらかじめ通信条件等に関する情報を交換し合う為の通信）を行うことで決定される。決定された通信速度に基づき、第一データの受信が開始される（Ｓ１７）。第一データが受信されている状態で、交換機６から送信される着信通知信号が監視される（Ｓ１９）。着信通知信号を受信しない状態では（Ｓ１９：ＮＯ）、第一データがすべて受信されたかが判断される（Ｓ２０）。第一データがすべて受信された場合（Ｓ２０：ＹＥＳ）、メイン処理を終了する。受信していない第一データが残存する場合（Ｓ２０：ＮＯ）、Ｓ１９に戻り、第一データを受信しつつ着信通知信号が継続して監視される。
【００５４】
通信端末２は、通信端末３との回線接続を要求する信号を、交換機６に対して送信する。交換機６は、通信端末３に対して着信通知信号を送信する。通信端末３において第一データの受信中に着信通知信号が受信された場合（Ｓ１９：ＹＥＳ）、回線接続を要求する通信端末である通信端末２の電話番号が取得される（Ｓ２１）。なお、交換機６が通信端末２の電話番号を着信通知信号に付加している場合、通信端末３では、着信通知信号に付加されている電話番号を取得することで、通信端末２の電話番号が取得される。
【００５５】
通信端末３が番号表示サービス（ナンバーディスプレイ（登録商標）など）機能を利用している場合、交換機６は通信端末２の電話番号を着信通知信号に付加して送信する。通信端末３は、通信端末２の電話番号を取得できる。一方、通信端末３が番号表示サービス機能を利用していない場合、通信端末２の電話番号は着信通知に付加されない。このような場合、例えば通信端末３は、所定の通信プロトコルに基づき交換機６や通信端末２と通信を行うことによって、通信端末２の電話番号を取得してもよい。なお、通信端末２と通信を行うことによって通信端末２の電話番号が取得される場合、電話番号取得のための通信は、回線２が通信可能となった後（Ｓ２３参照、後述）に実行される。
【００５６】
着信通知信号を受信して通信端末２の電話番号を取得した後、第一データの送信を中断させる中断信号が、通信端末１に対して送信される（Ｓ２２）。通信端末１からの第一データの送信は中断される。回線１が瞬断（フッキング）され、通信端末２との回線が接続され、通信可能な回線が回線１から回線２に切り替えられる（Ｓ２３）。なおこの状態では、回線１は維持（保留）されている。
【００５７】
なお中断信号は、通信端末における通信を一旦中止させるための信号である。中断信号は、特定周波数のトーン信号であってもよいし、相手方に送信中止を通知するためのデータ信号であってもよい。
【００５８】
図８に示すように、回線２が接続された後、通信端末２が要求する通信の種別（通話、ファックスデータ通信）が判断される。ファックスデータの場合、所定のトーン信号（ＣＮＧ等）が検出される。一方通話の場合、所定のトーン信号等は検出されない。通信端末３では、所定のトーン信号の検出の可否を判断することによって、通信端末２が要求する通信の種別が判断される。通信端末２が通信端末３との通話を要求している場合（Ｓ２５：ＹＥＳ）、通信端末２との通話を実行する処理（通話処理、Ｓ２７、図９参照）が実行される。
【００５９】
図９を参照し、通話処理について説明する。通話処理では、回線２が瞬断（フッキング）され、通信可能な回線が回線２から回線１に切り替えられる（Ｓ４１）。回線１を切断するために、通信端末１に対して切断信号が送信される（Ｓ４３）。回線１は切断される。回線１が瞬断（フッキング）され、通信可能な回線が回線１から回線２に切り替えられる（Ｓ４５）。通信端末２との間で通話が実行される（Ｓ５１）。通話終了の指示がない状態では（Ｓ５３：ＮＯ）、継続して通信端末２との通話が実行される。通信終了の指示がなされた場合（Ｓ５３：ＹＥＳ）、回線２は切断される。そしてメイン処理（図８参照）に戻る。図８に示すように、通話処理（Ｓ２７）の終了後、Ｓ３１の処理に進む。
【００６０】
一方、通信端末２が通信端末３に対して第二データの送信を要求している場合（Ｓ２５：ＮＯ）、通信端末２との間でファックスデータ通信を実行する処理（データ通信処理、Ｓ２９、図１０参照）が実行される。
【００６１】
図１０を参照し、データ通信処理について説明する。データ通信処理では、通信端末２から第二データが送信される前に、第二データのデータサイズが通信端末２から取得される（Ｓ６１）。データサイズは、例えば第二データの送信に先立って通信端末２から通信端末３に対して送信される。次いで、通信端末２から第二データを受信する場合の通信速度が決定される（Ｓ６３）。通信速度は、例えば利用可能な通信網５の帯域に基づき、通信端末２と通信端末３とがネゴシエーション通信を行うことで決定される。
【００６２】
Ｓ１１及びＳ２１（図７参照）において取得された通信端末１及び通信端末２の電話番号から、双方の市外局番が特定される。特定された市外局番に基づき、通信端末１及び通信端末２との通信距離が、課金テーブル３２にて規定されている通信距離のうちいずれに該当するかが特定される（Ｓ６４）。また現在時刻に基づき、課金テーブル３２にて規定されている利用時間帯のうちいずれに該当するかが特定される。特定された通信距離及び利用時間帯に基づき、通信料金当たりで通話可能な利用時間が特定される。このように通信端末３は、相手方通信端末との通信距離や時間毎に通信料金が異なる場合でも、通信距離や時間毎に通信料金を特定できる。通信端末３は、通信距離や時間に応じた通信料金の増加を正確に判断できる。
【００６３】
通信端末１から第一データをすべて受信するために必要な時間（第一時間）が算出される。通信端末２から第二データをすべて受信するために必要な時間（第二時間）が算出される。第一時間及び第二時間は、Ｓ１３（図７参照）及びＳ６１の処理で取得したデータサイズを、Ｓ１５（図７参照）及びＳ６３の処理で取得した通信速度で其々除算することによって算出される。算出された第一時間と第二時間とが加算され、加算時間が算出される（Ｓ６５）。このように通信端末３は、第一データ及び第二データのデータサイズと通信速度とから、通信に必要な時間（第一時間、第二時間）を容易に算出できる。通信端末３は、第一データ及び第二データを受信する場合に必要な時間を正確に認識できる。
【００６４】
通信網５を第一時間分利用した場合に発生する通信料金（第一料金）が、課金テーブルに基づいて特定される。通信網５を加算時間分利用した場合に発生する通信料金（第二料金）が、課金テーブルに基づいて特定される。第一料金と第二料金とが比較される（Ｓ６７）。第一料金と第二料金とが同一である場合（Ｓ６７：ＹＥＳ）、通信端末１との回線１を維持（保留）した状態で第一データと第二データとを受信しても、通信端末１に発生する通信料金は増加しないことになる。この場合、通信端末２から第二データが受信される（Ｓ６９）。第二データのすべてを通信端末２から受信した場合、回線２は切断される。回線２が瞬断（フッキング）され、通信可能な回線が回線２から回線１に切り替えられる（Ｓ７７）。Ｓ２２（図７参照）の処理で中断していた通信端末１からの第一データの送信を再開させるため、再開信号が通信端末１に対して送信される。通信端末１からの第一データの送信が再開される。通信端末１から送信された第一データが受信される（Ｓ７９）。第一データのすべてを通信端末１から受信した後、回線１は切断される。データ通信処理を終了してメイン処理（図８参照）に戻る。図８に示すように、データ通信処理（Ｓ２９）の終了後、Ｓ３１の処理に進む。
【００６５】
図１０のＳ６７の処理で、第一料金と比較して第二料金が大きい場合（Ｓ６７：ＮＯ）、回線１を維持した状態で第一データと第二データとを受信した場合に、通信端末１に発生する通信料金が増加することになる。この場合、通信網５を第一時間分利用した場合の通信料金で通信可能な最大の時間を特定する。次いで、特定した時間から第一時間を減算し、第三時間を特定する。第三時間は、通信端末１が第一データのすべてを通信端末３に送信した後、同一の通信料金で通信可能な残りの時間を示している。次いで、通信網５を第二時間分利用した場合の通信料金よりも低い料金で通信可能な利用時間を特定する。特定された時間を、第二時間から減算し、第四時間を特定する（Ｓ７１）。
【００６６】
第三時間と第四時間とが比較される（Ｓ７２）。第三時間が第四時間以上である場合（Ｓ７２：ＹＥＳ）、通信端末１との回線１を維持した状態で第一データを受信し、且つ第二データを第四時間分受信しても、通信端末１に発生する通信料金は増加しないことになる。この場合、通信端末２から第二データが第四時間分受信される（Ｓ７３）。そしてＳ７０の処理に進む。一方、第三時間が第四時間未満である場合（Ｓ７２：ＮＯ）、通信端末１との回線１を維持した状態で第一データを受信し、且つ第二データを第四時間分受信した場合に、通信端末１に発生する通信料金が増加してしまう。この場合、通信端末２から第二データを受信することなくＳ７０の処理に進む。
【００６７】
なお上述で、第二データが第四時間分受信される場合、第二データは分割されることになる。通常、ファックスデータは、ＥＣＭ通信を行う場合にはブロック単位で扱われる。１ブロックは２５６バイト×２５６フレームで構成されている。従って第二データを分割する場合には、１ブロックが分割されないようにブロック単位で分割してもよい。
【００６８】
Ｓ７０の処理では、回線２を切断するために、通信端末２に対して切断信号が送信され（Ｓ７０）、回線２は切断される。回線２が瞬断（フッキング）され、通信可能な回線が回線２から回線１に切り替えられる（Ｓ７７）。Ｓ２２（図７参照）の処理で中断していた通信端末１からの第一データの送信が再開され、第一データが受信される（Ｓ７９）。第一データのすべてを通信端末１から受信した後、回線１は切断される。データ通信処理を終了してメイン処理（図８参照）に戻る。図８に示すように、データ通信処理（Ｓ２９）の終了後、Ｓ３１の処理に戻る。
【００６９】
なお回線の切断を相手に通知する場合には、通信端末２に対して特定周波数のトーン信号や、相手方に送信中止を通知するためのデータ信号を送信することで行ってもよい。回線を切断するための何らかの信号を受信した通信端末では、回線を切断し、中断した時点からデータ送信（ポーリング送信など）を再開できるように、通信再開時に送信されるデータを予め送信バッファにセットしてもよい。通信再開時における通信相手先を間違えないように、切断時に通信用パスワードがやり取りされてもよい。
【００７０】
図８に示すように、通話処理（Ｓ２７）及びデータ通信処理（Ｓ２９）の終了後、第一データ及び第二データのうち、通信端末３が受信していないデータが残存するかが判断される（Ｓ３１）。通信端末３が受信していないデータが残存しない場合（Ｓ３１：ＮＯ）、そのままメイン処理を終了する。
【００７１】
通話処理（Ｓ２７、図８参照）が実行されている場合、通信端末１からの第一データの送信は中断した状態であり、第一データを受信していない状態にある。データ通信処理（Ｓ２９、図８参照）が実行された場合、第二データの一部又は全部を受信していない場合がある。この場合（Ｓ３１：ＹＥＳ）、受信していない第一データ又は第二データを受信するために、通信端末１又は通信端末２との間で回線が接続される（Ｓ３５）。通信端末１又は通信端末２との間でポーリング通信が実行される（Ｓ３７）。第一データ及び第二データのすべてを受信した場合、接続された状態の回線が切断され（Ｓ３９）、メイン処理は終了する。
【００７２】
なお上述のポーリング通信が実行される場合の通信速度は、再度通信端末３が通信端末１及び通信端末２と回線を接続した際に、ネゴシエーション通信を行うことで決定されてもよい。又は、ネゴシエーション通信の時間を短縮するために、Ｓ１５（図７参照）及びＳ６３（図１０参照）において決定された通信速度に基づいてポーリング通信が実行されてもよい。
【００７３】
以上説明したように、通信端末３は、通信端末１との間で第一データの通信を行う場合の通信料金を増加させることなく、通信端末１との間で第一データの通信を行い、且つ通信端末２から第二データを受信できる。通信端末１の通信料金を低く抑えつつ、他の通信端末２と回線交換方式の通信を行うことができる。また通信端末３は、通信端末１と回線通信方式による通信を行っている場合にも、通信端末２からの通知信号を受信して通信端末２と回線通信方式による通信を行うことができる。通信端末３は、通信端末２からの通知に即座に応じ、通信端末２から第二データを受信できるので、通信端末３は、遅滞なく通信端末２から第二データを受信できる。
【００７４】
図７のＳ１７の処理を行うＣＰＵ２１が本発明の「通信手段」に相当し、Ｓ１９の処理を行うＣＰＵ２１が本発明の「通知受信手段」に相当し、Ｓ２２の処理を行うＣＰＵ２１が本発明の「中断手段」に相当する。図１０のＳ６７の処理を行うＣＰＵ２１が本発明の「判断手段」に相当し、Ｓ６９の処理を行うＣＰＵ２１が本発明の「第一受信手段」に相当し、Ｓ３９の処理を行うＣＰＵ２１が本発明の「第一再開手段」「第二再開手段」に相当する。図８のＳ３７の処理を行うＣＰＵ２１が本発明の「第二受信手段」に相当する。図７のＳ２３の処理を行うＣＰＵ２１が本発明の「回線接続手段」に相当する。図１０のＳ７０の処理を行うＣＰＵ２１が本発明の「回線切断手段」に相当し、Ｓ７１の処理を行うＣＰＵ２１が本発明の「時間特定手段」に相当し、Ｓ７３の処理を行うＣＰＵ２１が本発明の「第三受信手段」に相当し、Ｓ６４の処理を行うＣＰＵ２１が本発明の「距離特定手段」に相当する。図７のＳ１１及びＳ２１の処理を行うＣＰＵ２１が本発明の「番号特定手段」に相当する。図７のＳ１５及び図１０のＳ６３の処理を行うＣＰＵ２１が本発明の「速度取得手段」に相当し、図１０のＳ６５の処理で第二時間を算出する処理を行うＣＰＵ２１が本発明の「算出手段」に相当する。
【００７５】
図７のＳ１７の処理が本発明の「通信ステップ」に相当し、Ｓ１９の処理が本発明の「通知受信ステップ」に相当し、Ｓ２２の処理が本発明の「中断ステップ」に相当する。図１０のＳ６７の処理が本発明の「判断ステップ」に相当し、Ｓ６９の処理が本発明の「第一受信ステップ」に相当し、Ｓ３９の処理が本発明の「第一再開ステップ」に相当する。
【００７６】
なお、本発明は上記実施の形態及び変形例に限定されるものではなく、種々の変更が可能である。例えば通信網５の通信品質が悪い場合、第一時間〜第四時間を算出する場合の算出結果にマージンを設けてもよい。第一時間〜第四時間を算出する場合、通信端末２の通信種別の確認のために行われる通信端末２とのネゴシエーション通信に要する時間を加算してもよい。具体的には、通信種別を特定する為に要する時間（Ｓ２５、図８参照）、相手通信端末の電話番号を取得する為に要する時間（Ｓ１１、Ｓ２１、図７参照）、通信速度を決定する為に要する時間（Ｓ１５、図７参照）（Ｓ６３、図１０参照）等を、算出結果に加算してもよい。
図８のＳ３７におけるポーリング通信の代わりに、通信端末１及び２に対して再送要求を送信することで、通信端末１及び通信端末２からファックスデータを受信してもよい。
【００７７】
上述では、交換機６を介して回線接続の制御（コールウェイティング機能）が実現されていた。本発明はこの構成に限定されない。通信端末間で制御信号を直接送受信することによって、回線接続制御が実現されてもよい。
【００７８】
上述の実施の形態では、通信端末３は通信端末１から第一データを受信している最中に、通信端末２からの着信通知信号を受信した場合を想定した。本発明はこれに限定されない。例えば通信端末３が通信端末１に対してファックスデータを送信している最中に、通信端末２から着信通知信号を受信した場合であっても、上述と同様に第二データを受信することができる。
【００７９】
上述では、通信端末３に対して通信端末１及び通信端末２が同時にファックスデータの送信要求を行った場合を想定しているが、本発明はこの構成に限定されない。通信端末３に対して３台以上の通信端末（通信端末Ｘ〜Ｚ）が同時にファックスデータの送信要求を行ってもよい。例えば、通信端末Ｘからファックスデータ（Ｘデータ）を受信している最中に、通信端末Ｙ，Ｚからファックスデータ（Ｙデータ、Ｚデータ）の送信要求があった場合を想定する。Ｘデータを、Ｙデータ及びＺデータとともに受信しても、通信端末Ｘの通信料金が増加しない場合に、通信端末３はＸデータ〜Ｚデータを受信してもよい。
【符号の説明】
【００８０】
１，２，３  通信端末
４      通信システム
５      通信網
２１    ＣＰＵ
【図１】
2011139374.tif 000003
【図２】
2011139374.tif 000004
【図３】
2011139374.tif 000005
【図４】
2011139374.tif 000006
【図５】
2011139374.tif 000007
【図６】
2011139374.tif 000008
【図７】
2011139374.tif 000009
【図８】
2011139374.tif 000010
【図９】
2011139374.tif 000011
【図１０】
2011139374.tif 000012